(57)【要約】  【課題】  摺動することで光ディスクの出し入れをするディスクトレイと当接しつつ連動して開閉するトレイドアを備える光ディスク装置であって、複雑な構造、部材を備えることなく、前記トレイドアの開閉速度を低下させ、該トレイドアが閉じるときの衝突の衝撃を低減し、衝突音の発生を低減する。  【解決手段】  ドア本体３１の裏面３０に形成される側面視略コの字形状の取付部３２と、ドア本体３１の裏面３０にドア本体３１と一体形成されるガイドリブ３３と、取付部３２に一体突設される支持軸３４とを有し、ディスクトレイ２が前進するときにディスクトレイ２の前面が最初にガイドリブと接触する。【選択図】      図２
2006338762.tif 000002
【特許請求の範囲】
【請求項１】
光ディスクを配置し前後進可能なディスクトレイと、前記光ディスクを挿入又は排出す
るときに前記ディスクトレイが貫通する開口部を有する前面パネルと、前記開口部に開閉
可能に取り付けられ常時閉鎖する方向に付勢されるトレイドアとを有する光ディスク装置
であって、
前記前面パネルは前記開口部の上側に形成され前記トレイドアが閉鎖状態のときに該ト
レイドアの上部と係合するトレイドア停止リブと、前面パネルの裏面に一体突設され前記
トレイドアを回動可能に支持するための一対のトレイドア取付部とを有しており、
前記トレイドアは長尺形状を有するドア本体と、前記ドア本体の裏側に一体突設され、
前記前面パネルの背面に形成されたトレイドア取付部と係合するための一対の取付部と、
前記ドア本体の背面に一体突設され、前記ディスクトレイの摺動方向に対して緩い角度を
なすガイドリブと、前記トレイドアを常時閉鎖方向に付勢するばねとを有しており、
前記ガイドリブと前記取付部とは一体に形成されており、前記トレイが摺動するとき、
該トレイの前面が前記ガイドリブと最初に接触するようにガイドリブが形成されているこ
とを特徴とする光ディスク装置。
【請求項２】
光ディスクを配置し前後進可能なディスクトレイと、前記光ディスクを挿入又は排出す
るときに前記ディスクトレイが貫通する開口部を有する前面パネルと、前記開口部に開閉
可能に取り付けられ常時閉鎖する方向に付勢されるトレイドアとを有する光ディスク装置
であって、
前記前面パネルは前記開口部の上側に形成され前記トレイドアが閉鎖状態のときに該ト
レイドアの上部と係合するトレイドア停止リブと、前面パネルの裏面に一体突設され前記
トレイドアを回動可能に支持するための一対のトレイドア取付部とを有しており、
前記トレイドアは長尺形状を有するドア本体と、前記ドア本体の裏側に一体突設され、
前記前面パネルの背面に形成されたトレイドア取付部と係合するための一対の取付部と、
前記ドア本体の背面に一体突設され、前記ディスクトレイの摺動方向に対して緩い角度を
なすガイドリブと、前記トレイドアを常時閉鎖方向に付勢するばねとを有しており、
前記トレイが摺動するとき、該トレイの前面が前記ガイドリブと最初に接触するように
ガイドリブが形成されていることを特徴とする光ディスク装置。
【請求項３】
前記ガイドリブは前記一対の取付部の間に配置されることを特徴とする請求項２に記載
の光ディスク装置。
【発明の詳細な説明】
【技術分野】
【０００１】
本発明は、光ディスクを載置したトレイが挿入、排出されるときに開閉するトレイドア
を備えた光ディスク装置に関するものである。
【背景技術】
【０００２】
現在、音響機器、映像機器等の電子機器の多くは記録メディアとして光ディスクが採用
している。光ディスクを用いる電子機器（光ディスク装置）はトレイに光ディスクを配置
し、該トレイを摺動挿入又は排出することで、取り出し位置から再生／記録位置へ又はそ
の逆に搬送する。例えば前記光ディスク装置がＤＶＤ（Digital Versatile Disc）プレー
ヤの場合、プレーヤに備えられたボタンや、リモートコントローラからの入力によって前
記トレイの挿入、排出が行われる。
【０００３】
前記ＤＶＤプレーヤの前面のトレイが挿入、排出される部分には開口部が形成されてお
り、該開口部には該トレイがプレーヤ内部に挿入されている状態のときに、内部が見えな
いようにするとともに、外部からの異物の進入を抑制するためのトレイドアが取り付けら
れている。前記トレイドアは前記トレイが排出されるときは該トレイの動きにあわせて開
き、前記トレイが挿入されるときは該トレイの動きにあわせて閉じるように形成されてい
る。
【０００４】
前記トレイドアの開閉は特開２００３−５１１８１号公報に記載の発明のように、前記
トレイドアを常時閉じる方向に付勢しておき、前記トレイが排出されるとき、該トレイの
前面が前記トレイドアの背面を押すことで開き、前記トレイが挿入されるときに、前記ト
レイドアが該トレイに沿って動くことで閉じるものがある。
【０００５】
図８に従来の光ディスク装置の正面図を示す。図８に示す光ディスク装置はそれには限
定されないが、ここではＤＶＤプレーヤである。図１に示すＤＶＤプレーヤＰＭは、前面
パネル９１を有しており、前面パネル９１にはＤＶＤメディアを挿入、排出するための開
口部９１１と、開口部９１１より前後進するディスクトレイ９２と、開口部９１１に取り
付けられた開閉可能なトレイドア９３とを有している。前面パネル９１にはＤＶＤメディ
アを挿入、排出するためのメディアボタン９１２と、電源ボタン９１３と、ＤＶＤプレー
ヤＰＭの状態を示す表示部９１４とが備えられている。
【０００６】
図９に従来の光ディスク装置であるＤＶＤプレーヤの側断面図を示す。ＤＶＤプレーヤ
ＰＭはディスクトレイ９２を前進させることでディスクトレイ９２の前面９２１がトレイ
ドア９３を押し、トレイドア９３が開き、開口部９１１よりディスクトレイ９２が突出す
る。開口部９１１より突出したディスクトレイ９２に光ディスクを着脱することで、光デ
ィスクの挿入／排出を行うものである。
【０００７】
図８に示すように、トレイドア９３は樹脂製の長尺板状部材である。トレイドア９３は
両端部に側面視略コの字状の取付部９３１が突設されており、取付部９３１の先端に同心
状に一体的に突設した左右一対の支持軸９３２を有しており、支持軸９３２が前面パネル
９１の裏面に形成されたトレイドア取付部９１０に回動可能に取り付けられている。また
、一方の支持軸９３２に巻きまわしたばね９３３によって、トレイドア９３は閉じる方向
に付勢されている。
【０００８】
ディスクトレイ９２が前進するとき、ディスクトレイ９２の前面９２１がトレイドア９
３の裏面９３０を押し、トレイドア９３が開く。ディスクトレイ９２が後進すると、前進
と逆の動きでトレイドア９３が閉じる。トレイドア９３は閉じたときに、前面パネル９１
の開口部９１１の上部に設けられたドア停止用リブ９１２と接触して停止している。
【特許文献１】特開２００３−５１１８１号公報
【発明の開示】
【発明が解決しようとする課題】
【０００９】
ディスクトレイ９２を載置する排出位置から光ディスク装置内の再生位置に挿入される
ときに、ディスクトレイ９２の動きにあわせてトレイドア９３が閉じる。トレイドア９３
はディスクトレイ９２の摺動と連動して動き、ドア停止用リブ９１２と当接して停止する
。
【００１０】
このとき、ディスクトレイ９２の摺動速度が速いと、トレイドア９３を閉じるときの回
動速度も高くなる。トレイドア９３の回動速度はディスクトレイ９２の摺動と連動して動
作するので、ディスクトレイ９２の摺動方向と近い方向、すなわち、閉じた状態に近づく
ほど早くなる。トレイドア９３とドア停止用リブ９１２との衝突速度が速いと、トレイド
ア９３とドア停止用リブ９１２の接触時に衝突音が発生する。
【００１１】
また、ディスクトレイ９２がＤＶＤプレーヤＰＭへの出入りを繰り返すと、それだけト
レイドア９３とドア停止用リブ９１２とが衝突するので、トレイドア９３及び（又は）に
衝撃による応力が集中し、破損、破壊の原因になる。トレイドア９３に減速機を設けるよ
うにし、衝突速度を低下することも考えられるが、構造が非常に複雑になり、製造に手間
と時間がかかり、コストも上昇する。
【００１２】
そこで本発明は、摺動することで光ディスクの出し入れをするディスクトレイと当接し
つつ連動して開閉するトレイドアを備える光ディスク装置であって、複雑な構造、部材を
備えることなく、前記トレイドアの開閉速度を低下させ、該トレイドアが閉じるときの衝
突の衝撃を低減し、衝突音の発生を低減することを目的とする。
【課題を解決するための手段】
【００１３】
上記目的を達成するために本発明は、光ディスクを配置し前後進可能なディスクトレイ
と、前記光ディスクを挿入又は排出するときに前記ディスクトレイが貫通する開口部を有
する前面パネルと、前記開口部に開閉可能に取り付けられ常時閉鎖する方向に付勢される
トレイドアとを有する光ディスク装置であって、前記前面パネルは前記開口部の上側に形
成され前記トレイドアが閉鎖状態のときに該トレイドアの上部と係合するトレイドア停止
リブと、前面パネルの裏面に一体突設され前記トレイドアを回動可能に支持するための一
対のトレイドア取付部とを有しており、前記トレイドアは長尺形状を有するドア本体と、
前記ドア本体の裏側に一体突設され、前記前面パネルの背面に形成されたトレイドア取付
部と係合するための一対の取付部と、前記ドア本体の背面に一体突設され、前記ディスク
トレイの摺動方向に対して緩い角度をなすガイドリブと、前記トレイドアを常時閉鎖方向
に付勢するばねとを有しており、前記ガイドリブと前記取付部とは一体に形成されており
、前記トレイが摺動するとき、該トレイの前面が前記ガイドリブと最初に接触するように
ガイドリブが形成されていることを特徴とする。
【００１４】
この構成によると、前記ディスクトレイが前記光ディスク装置内部から外部に排出され
る（前進する）ときに最初に、前記ディスクトレイの摺動方向に対し緩い角度をなす前記
ガイドリブと当接する。このことは、前記ディスクトレイが前記光ディスク装置内部に挿
入される（後退する）ときに該ディスクトレイと最後までガイドリブと当接するので、前
記ディスクトレイと当接して開閉するトレイドアが閉じるときの回動速度を低速化するこ
とができる。
【００１５】
これにより、前記トレイドアのドア本体が前記トレイドア停止リブと接触するときの速
度を低速化することができ、前記トレイドアと前記トレイドア停止リブとの衝突の衝撃を
低減することができる。このことにより、前記トレイドアと前記トレイドア停止リブとの
衝突による衝突音を低減することができるとともに、衝撃による前記トレイドア及びトレ
イドア停止リブに発生する衝撃力を低減することができる。
【００１６】
上記目的を達成するために本発明は、光ディスクを配置し前後進可能なディスクトレイ
と、前記光ディスクを挿入又は排出するときに前記ディスクトレイが貫通する開口部を有
する前面パネルと、前記開口部に開閉可能に取り付けられ常時閉鎖する方向に付勢される
トレイドアとを有する光ディスク装置であって、前記前面パネルは前記開口部の上側に形
成され前記トレイドアが閉鎖状態のときに該トレイドアの上部と係合するトレイドア停止
リブと、前面パネルの裏面に一体突設され前記トレイドアを回動可能に支持するための一
対のトレイドア取付部とを有しており、前記トレイドアは長尺形状を有するドア本体と、
前記ドア本体の裏側に一体突設され、前記前面パネルの背面に形成されたトレイドア取付
部と係合するための一対の取付部と、前記ドア本体の背面に一体突設され、前記ディスク
トレイの摺動方向に対して緩い角度をなすガイドリブと、前記トレイドアを常時閉鎖方向
に付勢するばねとを有しており、前記トレイが摺動するとき、該トレイの前面が前記ガイ
ドリブと最初に接触するようにガイドリブが形成されていることを特徴とする。
【００１７】
この構成によると、前記ディスクトレイが前記光ディスク装置内部から外部に排出され
る（前進する）ときに最初に、前記ディスクトレイの摺動方向に対し緩い角度をなす前記
ガイドリブと当接する。このことは、前記ディスクトレイが前記光ディスク装置内部に挿
入される（後退する）ときに該ディスクトレイと最後までガイドリブと当接するので、前
記ディスクトレイと当接して開閉するトレイドアが閉じるときの回動速度を低速化するこ
とができる。
【００１８】
これにより、前記トレイドアのドア本体が前記トレイドア停止リブと接触するときの速
度を低速化することができ、前記トレイドアと前記トレイドア停止リブとの衝突の衝撃を
低減することができる。このことにより、前記トレイドアと前記トレイドア停止リブとの
衝突による衝突音を低減することができるとともに、衝撃による前記トレイドア及びトレ
イドア停止リブに発生する衝撃力を低減することができる。
【００１９】
上記構成において、前記トレイドアの取付部が前記ディスクトレイの外側に配置される
ものである場合、前記ガイドリブは前記一対の取付部の間に配置されるものであってもよ
い。このとき、ガイドリブは取付部の中央部に１個形成されるものであってもよく、複数
個形成されるものであってもよい。複数個形成されるものの場合、前記トレイドアとバラ
ンスよく接触するものが好ましい。また、取付部と一体に形成されているガイドリブを備
えるトレイドアの略中央部にガイドリブを備えていてもよい。
【００２０】
また、前記ガイドリブの前記ディスクトレイと当接する部分は直線状に形成されていて
もよく、複数の直線を繋いだ形状、曲線状に形成されていてもよい。前記トレイドアが閉
鎖方向に回動し、前記トレイドア停止リブと接触するときの衝突速度を低速化することが
できる形状を広く採用することができる。また、前記ガイドリブの前記ドア本体の裏面接
触する部分が曲線状に形成されており、前記トレイドアが前記ガイドリブと当接している
状態から、前記ドア本体の裏面と当接する状態（又はその反対の動作）に円滑に移行する
ことができる。
【発明の効果】
【００２１】
本発明によると、摺動することで光ディスクの出し入れをするディスクトレイと当接し
つつ連動して開閉するトレイドアを備える光ディスク装置であって、複雑な構造、部材を
備えることなく、前記トレイドアの開閉速度を低下させ、該トレイドアが閉じるときの衝
突の衝撃を低減し、衝突音の発生を低減することができる。
【発明を実施するための最良の形態】
【００２２】
以下に本発明の実施形態を図面を参照して説明する。図１に本発明にかかる光ディスク
装置の一例の正面図を、図２に図１に示す光ディスク装置の前面部のトレイが収納されて
いる状態の側断面図を示す。図１に示す光ディスク装置はそれには限定されないが、ここ
ではＤＶＤプレーヤである。図１に示すＤＶＤプレーヤＰＬは、前面パネル１を有してお
り、前面パネル１にはＤＶＤメディアを挿入、排出するための開口部１１と、開口部１１
より前後進するディスクトレイ２と、開口部１１に取り付けられた開閉可能なトレイドア
３とを有している。前面パネル１にはＤＶＤメディアを挿入、排出するためのメディアボ
タン１２と、電源ボタン１３と、ＤＶＤプレーヤＰＬの状態を示す表示部１４とが備えら
れている。
【００２３】
図２に示すように前面パネル１は開口部１１と、開口部１１の上部にトレイドア３が閉
じるときに、閉じすぎないようにトレイドア３を停止するトレイドア停止リブ１１１と、
後述するトレイドア３の側面視略コの字状の取付部３２に形成された支持軸３４と回動可
能に嵌合するトレイドア取付部１５とを有している。
【００２４】
図３にディスクトレイが排出されトレイドアが開いた状態の平面図を示す。図３に示す
ようにトレイドア３は長尺形状のドア本体３１と、ドア本体３１の裏面３０に形成される
側面視略コの字形状の取付部３２と、ドア本体３１の裏面３０にドア本体３１と一体形成
されるガイドリブ３３と、取付部３２に一体突設される支持軸３４とを有している。また
、一方の支持軸３４に巻きまわした弾性部材（ここでは、ばね３５）によって、トレイド
ア３は常時、閉じる方向に付勢されている。図３に示すように、トレイドア３ではガイド
リブ３３が取付部３２と一体に形成されている。
【００２５】
図４（Ａ）〜図４（Ｄ）にディスクトレイがプレーヤから外部に排出されるときの側断
面図を示す。図４（Ａ）は例えば光ディスクが再生されている状態であり、ディスクトレ
イ２は収納された状態になっている。
【００２６】
図４（Ｂ）に示すＤＶＤプレーヤＰＬの状態は、光ディスクを挿入するため又は取り替
えるためにディスクトレイ２が前進し、トレイドア３がディスクトレイ２に接触した状態
である。ディスクトレイ２の前面２１はトレイドア３のガイドリブ３３と接触した状態で
ある。ディスクトレイ２は前進するときに最初にトレイドア３のガイドリブ３３と接触す
る。
【００２７】
そして、ディスクトレイ２がさらに前進すると、ディスクトレイ２の前面はトレイドア
３のガイドリブ３３に当接しつつ、摺動する。このとき、トレイドア３は支持軸３４まわ
りに回動し、前面下方に押されて開き始める（図４（Ｃ）参照）。ディスクトレイ２がガ
イドリブ３３に当接しつつ摺動するとき、ガイドリブ３３はディスクトレイ２の摺動方向
に対する角度が小さいので、トレイドア３の回動速度は遅くなる。
【００２８】
さらにディスクトレイ２が前進すると、ディスクトレイ２とトレイドア３のガイドリブ
３３との接触が外れ、ディスクトレイ２の下面とトレイドア３のドア本体３１が接触した
状態でディスクトレイ２は摺動する（図４（Ｄ）参照）。
【００２９】
また、ディスクトレイ２を収納するときは、上記とは逆の動作で収納することが可能で
ある。すなわち、トレイドア３のドア本体３１がディスクトレイ２の下面と接触している
状態から、ディスクトレイ２が後退すると、ディスクトレイ２の前面がトレイドア３の裏
面３０と接触しつつ摺動し、それに連動してトレイドア３も閉鎖方向に回動する。さらに
、ディスクトレイ２が後退すると、ディスクトレイ２の前面２１がトレイドア３のガイド
リブ３３と接触しつつ摺動する（図４（Ｃ）参照）。
【００３０】
このとき、ガイドリブ３３はディスクトレイ２の摺動方向に対して緩い角度で形成され
ているので、ディスクトレイ２がトレイドア３の裏面３０と接触しているときに比べてト
レイドア３の回動速度は遅くなる。さらに、ディスクトレイ２が後退すると、トレイドア
３のドア本体３１が前面パネル１のトレイドア停止リブ１１１と当接しトレイドア３は開
口部１１を閉鎖する（図４（Ｂ）参照）。
【００３１】
このとき、トレイドア３はディスクトレイ２の後退に連動して回動している。この連動
は、ディスクトレイ２の前面２１がガイドリブ３３を摺動することで行われるものであり
、ガイドリブ３３はディスクトレイ２の摺動方向に対して角度をつけて形成されているの
で、トレイドア３の回動速度はディスクトレイ２がトレイドア３の裏面３０と当接して回
動するときに比べて遅い。それゆえ、トレイドア３のドア本体３１がトレイドア停止リブ
１１１と当接するときの衝撃を小さくすることができ、衝突音の発生を低減することがで
きる。
【００３２】
ガイドリブ３３のディスクトレイ２が開くときに最初に接触する部分の傾きは、ディス
クトレイ２の摺動方向に対してなす角度が小さい方が、トレイドア３の回動速度（換言す
ると、閉鎖速度）を遅くすることができるので、好ましい。
【００３３】
図５に本発明にかかる光ディスク装置のトレイドアが開いた状態の平面図を、図６に本
発明にかかる光ディスク装置の側断面図を示す。図５、図６に示すようにトレイドア３の
取付部３２がディスクトレイ２と当接しない、換言すると、取付部３２の間にディスクト
レイ２が配置される形状に形成されている場合、ガイドリブ３３を取付部３２の間に配置
するようにする。これにより、ディスクトレイ２が前進するときに、ガイドリブ３３に最
初に接触する（すなわち、後退するときは最後までガイドリブ３３と接触している）ので
、トレイドア３を閉鎖するときの回動速度を低速化することができ、衝突音を低減するこ
とができる。
【００３４】
また、図５、図６では、ガイドリブ３３が略中央部に１個形成されているものを例示し
ているが、それに限定されるものではなく、ディスクトレイ２が収納状態から前進したと
きに、最初にガイドリブ３３と接触する位置に複数個配置するものであってもよい。
【００３５】
上記実施例において、ガイドリブ３３は緩やかな直線状の傾斜で形成されているものを
例に説明しているが、ディスクトレイ２が最初に接触する部分とそれ以外の部分で異なる
角度を有する複数の直線状の傾斜を備える形状であってもよく、滑らかな曲面状に形成さ
れていてもよい。
【００３６】
また、これらに限定されるものではなく、図７に示すようにディスクトレイ２が前進す
るときにディスクトレイ２とトレイドア３の裏面３０とが円滑に連続して接触することが
できる形状を広く採用することができる。
【００３７】
上記実施例において、光ディスク装置としてＤＶＤメディアの再生を行うＤＶＤプレー
ヤを採用しているが、それに限定されるものではなく、トレイを用いて光ディスクを挿入
する光ディスク装置（例えば、ＣＤ、ＬＤ等）を広く採用することができる。
【産業上の利用可能性】
【００３８】
本発明は、ＤＶＤ、ＣＤ、ＬＤ等のトレイを用いてメディアの挿入を行うことができる
光ディスク装置において適用することができる。
【図面の簡単な説明】
【００３９】
【図１】本発明にかかる光ディスク装置の一例の正面図である。
【図２】図１に示す光ディスク装置の側断面図である。
【図３】ディスクトレイが排出されトレイドアが開いた状態の平面図である。
【図４】図（Ａ）〜図（Ｄ）にディスクトレイがプレーヤから外部に排出されるときの側断面図である。
【図５】本発明にかかる光ディスク装置のトレイドアが開いた状態の平面図である。
【図６】本発明にかかる光ディスク装置の側断面図である。
【図７】本発明にかかる光ディスク装置の側断面図である。
【図８】従来の光ディスク装置の一例の正面図である。
【図９】従来の光ディスク装置の側断面図である。
【符号の説明】
【００４０】
ＰＬ  ＤＶＤプレーヤ
１  前面パネル
１１  開口部
１１１  トレイドア停止リブ
１２  メディアボタン
１３  電源ボタン
１４  表示部
１５  トレイドア取付部
２  ディスクトレイ
２１  前面
３  トレイドア
３１  ドア本体
３２  取付部
３３  ガイドリブ
３４  支持軸
３５  弾性部材（ばね）
【図１】
2006338762.tif 000003
【図２】
2006338762.tif 000004
【図３】
2006338762.tif 000005
【図４】
2006338762.tif 000006
【図５】
2006338762.tif 000007
【図６】
2006338762.tif 000008
【図７】
2006338762.tif 000009
【図８】
2006338762.tif 000010
【図９】
2006338762.tif 000011